【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
アナログ歪みが生じている入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析手段と、
前記分析手段により生成された１以上の分析対象毎の前記変換情報のうちの所定の１つを利用して、前記設定手段により設定された前記分析単位に対応する所定のM個の前記処理データのそれぞれの表現形式を変換する変換手段と
を備えることを特徴とするデータ変換装置。
【請求項２】
前記変換情報は、前記処理データの表現形式のうちの、前記変換手段による変換前の第１の表現形式と、前記変換手段による変換後の第２の表現形式との間の関係を示すまたは規定する情報である
ことを特徴とする請求項１に記載のデータ変換装置。
【請求項３】
前記入力データは、前記分析手段により１つの分析対象として設定され得るデータ群が１以上集まって構成されている
ことを特徴とする請求項１に記載のデータ変換装置。
【請求項４】
前記分析手段は、前記入力データの全てを前記分析単位で区分することで、M個の前記処理データからなる前記データ群を１以上設定し、１以上の前記データ群のそれぞれを１以上の分析対象のそれぞれとして、前記変換情報を分析対象毎に個別に生成し、
前記変換手段は、前記分析手段により分析対象とされた１以上の前記データ群のそれぞれを処理対象に１つずつ順次設定し、前記分析手段により１以上の分析対象毎に個別に生成された前記変換情報のうちの処理対象の前記データ群についての変換情報を利用して、処理対象の前記データ群を構成するM個の前記処理データのそれぞれの表現形式を変換する
ことを特徴とする請求項１に記載のデータ変換装置。
【請求項５】
前記分析手段は、１以上の分析対象毎に、対応する前記データ群を構成するM個の前記処理データのそれぞれを分析することで、前記変換情報をそれぞれ個別に生成する
ことを特徴とする請求項１に記載のデータ変換装置。
【請求項６】
アナログ歪みが生じている入力データのうちの少なくとも一部の表現形式を変換するデータ変換装置のデータ変換方法であって、
前記入力データから、N次元（Nは１以上の整数値）で表される処理データを設定し、M個（Mは１以上の整数値）の処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換する変換ステップと
を含むことを特徴とするデータ変換方法。
【請求項７】
アナログ歪みが生じている入力データのうちの少なくとも一部の表現形式を変換するデータ変換処理を制御す
るコンピュータに実行させるプログラムであって、
入力データから、N次元（Nは１以上の整数値）で表される処理データを設定し、M個（Mは１以上の整数値）の処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換する変換ステップと
を含むプログラムが記録されていることを特徴とする記録媒体。
【請求項８】
アナログ歪みが生じている入力データのうちの少なくとも一部の表現形式を変換するデータ変換処理を制御するコンピュータに実行させるプログラムであって、
入力データから、N次元（Nは１以上の整数値）で表される処理データを設定し、M個（Mは１以上の整数値）の処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換する変換ステップと
を含むことを特徴とするプログラム。
【請求項９】
アナログ歪みが生じている元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力されるデータ逆変換装置であって、
前記入力データから、前記第２のデータ群と前記変換情報とを分離する分離手段と、
前記分離手段により前記入力データから分離された前記変換情報を利用して、前記分離手段により前記入力データから分離された前記第２のデータ群を構成するM個の前記処理データの表現形式を逆変換する逆変換手段と
を備えることを特徴とするデータ逆変換装置。
【請求項１０】
前記元データは、分析対象として設定され得る前記第１のデータ群が１以上集まって構成される
ことを特徴とする請求項９に記載のデータ逆変換装置。
【請求項１１】
前記元データの全てが前記分析単位で区分されて、M個の前記処理データからなる前記第１のデータ群が１以上設定され、１以上の前記データ群のそれぞれが１以上の分析対象のそれぞれとして、前記処理データの表現形式を変換するための変換情報が分析対象毎に個別に生成され、
分析対象としてされた１以上の前記第１のデータ群のそれぞれが処理対象に１つずつ順次設定されて、１以上の分析対象毎に個別に生成された前記変換情報のうちの処理対象の前記データ群についての変換情報を利用して、処理対象の前記第１のデータ群を構成するM個の前記処理データのそれぞれの表現形式が変換され、その結果、処理対象の前記第１のデータ群に対応する前記第２のデータ群が生成され、
１以上の前記第２のデータ群のそれぞれに対して、それぞれの生成に利用された前記変換情報が重畳された１以上のデータが、前記入力データとして入力され、
前記分離手段は、前記入力データから、１以上の前記第２のデータ群のそれぞれと、それぞれの生成に利用された前記変換情報のそれぞれとを分離し、
前記逆変換手段は、１以上の前記第２のデータ群のそれぞれを処理対象に１つずつ順次設定し、前記分離手段により前記入力データから分離された処理対象の前記第２のデータ群の生成に利用された前記変換情報を利用して、前記分離手段により前記入力データから分離された処理対象の前記第２のデータ群を構成するM個の前記処理データの表現形式を逆変換する
ことを特徴とする請求項９に記載のデータ逆変換装置。
【請求項１２】
前記変換情報は、対応する分析対象の前記データ群を構成するM個の前記処理データのそれぞれが分析されることで生成される
ことを特徴とする請求項９に記載のデータ逆変換装置。
【請求項１３】
前記第２のデータ群に対して前記変換情報が重畳されたデータの代わりに、前記第２のデータ群に対して、前記変換情報を生成するために必要な情報である変換情報生成用情報が重畳されたデータが、前記入力データのうちの少なくとも一部として入力される場合には、
前記分離手段は、前記入力データから、前記第２のデータ群と前記変換情報生成用情報とを分離し、
前記分離手段により前記入力データから分離された前記変換情報生成用情報を利用して、前記変換情報を生成する生成手段をさらに備え、
前記逆変換手段は、前記生成手段により生成された前記変換情報を利用して、前記分離手段により前記入力データから分離された前記第２のデータ群を構成するM個の前記処理データの表現形式を逆変換する
ことを特徴とする請求項９に記載のデータ逆変換装置。
【請求項１４】
アナログ歪みが生じている元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力されるデータ逆変換装置のデータ逆変換方法であって、
前記入力データから、前記第２のデータ群と、前記変換情報とを分離する分離ステップと、
前記分離ステップの処理により前記入力データから分離された前記変換情報を利用して、前記分離ステップの処理により前記入力データから分離された前記第２のデータ群を構成するM個の前記処理データの表現形式を逆変換する逆変換ステップと
を含むことを特徴とするデータ逆変換方法。
【請求項１５】
アナログ歪みが生じている元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力される装置を制御するコンピュータに実行させるプログラムであって、
前記入力データから、前記第２のデータ群と前記変換情報とを分離する分離ステップと、
前記分離ステップの処理により前記入力データから分離された前記変換情報を利用して、前記分離ステップの処理により前記入力データから分離された前記第２のデータ群を構成するM個の前記処理データの表現形式を逆変換する逆変換ステップと
を含むプログラムを記録していることを特徴とする記録媒体。
【請求項１６】
アナログ歪みが生じている元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力される装置を制御するコンピュータに実行させるプログラムであって、
前記入力データから、前記第２のデータ群と前記変換情報とを分離する分離ステップと、
前記分離ステップの処理により前記入力データから分離された前記変換情報を利用して、前記分離ステップの処理により前記入力データから分離された前記第２のデータ群を構成するM個の前記処理データの表現形式を逆変換する逆変換ステップと
を含むことを特徴とするプログラム。
【請求項１７】
入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析手段と、
前記分析手段により生成された１以上の分析対象毎の前記変換情報のうちの所定の１つを利用して、前記設定手段により設定された前記分析単位に対応する所定のM個の前記処理データのそれぞれの表現形式を変換する変換手段と
を備え、
前記分析単位に対応するM個の前記処理データは、前記入力データを構成する各データのうちの近接するM個のデータである
ことを特徴とするデータ変換装置。
【請求項１８】
前記入力データに対してアナログ歪みを生じさせるアナログ歪み生成手段
をさらに備えることを特徴とする請求項１７に記載のデータ変換装置。
【請求項１９】
入力データのうちの少なくとも一部の表現形式を変換するデータ変換装置のデータ変換方法であって、
前記入力データから、N次元（Nは１以上の整数値）で表される処理データを設定し、M個（Mは１以上の整数値）の処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換する変換ステップと
を含み、
前記分析単位に対応するM個の前記処理データは、前記入力データを構成する各データのうちの近接するM個のデータである
ことを特徴とするデータ変換方法。
【請求項２０】
入力データのうちの少なくとも一部の表現形式を変換するデータ変換処理を制御するコンピュータに実行させるプログラムであって、
前記入力データから、N次元（Nは１以上の整数値）で表される処理データを設定し、M個（Mは１以上の整数値）の処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換する変換ステップと
を含むプログラムを記録している記録媒体であって、
前記分析単位に対応するM個の前記処理データは、前記入力データを構成する各データのうちの近接するM個のデータである
ことを特徴とする記録媒体。
【請求項２１】
入力データのうちの少なくとも一部の表現形式を変換するデータ変換処理を制御するコンピュータに実行させるプログラムであって、
前記入力データから、N次元（Nは１以上の整数値）で表される処理データを設定し、M個（Mは１以上の整数値）の処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換する変換ステップと
を含み、
前記分析単位に対応するM個の前記処理データは、前記入力データを構成する各データのうちの近接するM個のデータである
ことを特徴とするプログラム。
【請求項２２】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力されるデータ逆変換装置であって、
前記入力データから、前記第２のデータ群と、前記変換情報を分離する分離手段と、
前記分離手段により前記入力データから分離された前記変換情報を利用して、前記分離手段により前記入力データから分離された前記第２のデータ群を構成するM個の前記処理データの表現形式を逆変換する逆変換手段と
を備え、
前記分析単位に対応するM個の前記処理データは、前記元データを構成する各データのうちの近接するM個のデータである
ことを特徴とするデータ逆変換装置。
【請求項２３】
前記元データは、アナログ歪みが生じている
ことを特徴とする請求項２２に記載のデータ逆変換装置。
【請求項２４】
前記第２のデータ群に対して前記変換情報が重畳されたデータの代わりに、前記第２のデータ群に対して、前記変換情報を生成するために必要な情報である変換情報生成用情報が重畳されたデータが、前記入力データのうちの少なくとも一部として入力される場合には、
前記分離手段は、前記入力データから、前記第２のデータ群と、前記変換情報生成用情報とを分離し、
前記分離手段により前記入力データから分離された前記変換情報生成用情報を利用して、前記変換情報を生成する生成手段をさらに備え、
前記逆変換手段は、前記生成手段により生成された前記変換情報を利用して、前記分離手段により前記入力データから分離された前記第２のデータ群を構成するM個の前記処理データの表現形式を逆変換する
ことを特徴とする請求項２２に記載のデータ逆変換装置。
【請求項２５】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力されるデータ逆変換装置のデータ逆変換方法であって、
前記入力データから、前記第２のデータ群と、前記変換情報とを分離する分離ステップと、
前記分離ステップの処理により前記入力データから分離された前記変換情報を利用して、前記分離ステップの処理により前記入力データから分離された前記第２のデータ群を構成するM個の前記処理データの表現形式を逆変換する逆変換ステップと
を含み、
前記分析単位に対応するM個の前記処理データは、前記元データを構成する各データのうちの近接するM個のデータである
ことを特徴とするデータ逆変換方法。
【請求項２６】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力される装置を制御するコンピュータに実行させるプログラムであって、
前記入力データから、前記第２のデータ群と、前記変換情報とを分離する分離ステップと、
前記分離ステップの処理により前記入力データから分離された前記変換情報を利用して、前記分離ステップの処理により前記入力データから分離された前記第２のデータ群を構成するM個の前記処理データの表現形式を逆変換する逆変換ステップと
を含むプログラムを記録している記録媒体であって、
前記分析単位に対応するM個の前記処理データは、前記元データを構成する各データのうちの近接するM個のデータである
ことを特徴とする記録媒体。
【請求項２７】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として入力される装置を制御するコンピュータに実行させるプログラムであって、
前記入力データから、前記第２のデータ群と、前記変換情報とを分離する分離ステップと、
前記分離ステップの処理により前記入力データから分離された前記変換情報を利用して、前記分離ステップの処理により前記入力データから分離された前記第２のデータ群を構成するM個の前記処理データの表現形式を逆変換する逆変換ステップと
を含み、
前記分析単位に対応するM個の前記処理データは、前記元データを構成する各データのうちの近接するM個のデータである
ことを特徴とするプログラム。
【請求項２８】
入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、１以上の分析対象毎に主成分分析を個別に行うことで、前記処理データの表現形式を変換するための基底を分析対象毎に個別に生成する分析手段と、
前記分析手段により生成された１以上の分析単位毎の前記基底のうちの所定の１つを利用して、前記設定手段により設定された前記分析単位に対応するM個の前記処理データのそれぞれの表現形式を変換する変換手段と
を備えることを特徴とするデータ変換装置。
【請求項２９】
前記入力データに対してアナログ歪みを生じさせるアナログ歪み生成手段
をさらに備えることを特徴とする請求項２８に記載のデータ変換装置。
【請求項３０】
前記入力データは、アナログ歪みが生じている
ことを特徴とする請求項２８に記載のデータ変換装置。
【請求項３１】
前記設定手段は、前記処理データとして、第１の種類の第１の処理データと、第２の種類の第２の処理データとを設定し、
前記分析手段は、前記設定手段により設定された前記分析単位に対応する所定のM個の前記第１の処理データからなるデータ群を１以上設定し、１以上の前記データ群のそれぞれを１以上の分析対象のそれぞれとして、１以上の分析対象毎に主成分分析を個別に行うことで、前記第２の処理データの表現形式を変換するための基底を分析対象毎に個別に生成し、
前記変換手段は、前記分析手段により生成された１以上の分析単位毎の前記基底のうちの所定の１つを利用して、前記設定手段により設定された前記分析単位に対応するM個の前記第２の処理データのそれぞれの表現形式を変換する
ことを特徴とする請求項２８に記載のデータ変換装置。
【請求項３２】
前記入力データは、１以上のアクセスユニットから構成される画像データであり、
前記設定手段は、
前記画像データを構成する１以上の前記アクセスユニットのうちの所定の１つを処理対象に設定し、
処理対象の前記アクセスユニットを１以上の第１のブロックに分割し、
１以上の前記第１のブロックのそれぞれをM個の第２のブロックに分割し、
前記第２のブロックを構成するN個以上の画素データのうちの所定のN個の画素データの値を成分値として有するN次元の第１のベクトルを、前記処理データとして設定し、
前記第１のブロックを前記分析単位に設定する
ことを特徴とする請求項２８に記載のデータ変換装置。
【請求項３３】
前記第２のブロックは、N/Z個（Zは１以上の整数値）の画素のそれぞれについてのZ種類の画素データから構成され、
前記第１のベクトルは、N/Z個の画素のそれぞれについてのZ種類の画素データのそれぞれの値を、各成分値として有するベクトルである
ことを特徴とする請求項３２に記載のデータ変換装置。
【請求項３４】
前記分析手段は、
処理対象の前記アクセスユニットを構成する１以上の前記第１のブロックのそれぞれを分析対象に１つずつ順次設定し、
分析対象の前記第１のブロックを構成するM個の前記第２のブロックのそれぞれについてのM個の前記第１のベクトルを対象とする主成分分析を行うことで、分析対象の前記第１のブロックについての前記基底を生成する
ことを特徴とする請求項３２に記載のデータ変換装置。
【請求項３５】
前記変換手段は、前記分析手段により分析対象として設定された1以上の前記第１のブロックのそれぞれを処理対象に１つずつ順次設定し、N個の前記画素データのそれぞれを軸とする第１の座標系で表現される前記第１のベクトルのうちの、処理対象の前記第１のブロックを構成するM個の前記第２のブロックのそれぞれについてのM個の前記第１のベクトルを、前記分析手段により生成された１以上の分析対象毎の前記基底のうちの処理対象の前記第１のブロックについての前記基底を軸とする第２の座標系で表現されるM個の第２のベクトルのそれぞれに変換することで、M個の前記第１のベクトルのそれぞれの表現形式を変換する
ことを特徴とする請求項３４に記載のデータ変換装置。
【請求項３６】
前記変換手段は、処理対象の前記第１のブロックについて、M個の前記第２のベクトルからなるデータ群を所定の単位毎に符号化することで、M個の前記第１のベクトルのそれぞれの表現形式をさらに変換する
ことを特徴とする請求項３５に記載のデータ変換装置。
【請求項３７】
前記分析単位に対応するM個の前記処理データは、前記入力データを構成する各データのうちの近接するM個のデータである
ことを特徴とする請求項２８に記載のデータ変換装置。
【請求項３８】
入力データのうちの少なくとも一部の表現形式を変換するデータ変換装置のデータ変換方法であって、
入力データから、N次元（Nは１以上の整数値）で表される処理データを設定し、M個（Mは１以上の整数値）の前記処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、１以上の分析対象毎に主成分分析を個別に行うことで、前記処理データの表現形式を変換するための基底を分析対象毎に個別に生成する分析ステップと、
前記分析ステップの処理により生成された１以上の分析単位毎の前記基底のうちの所定の１つを利用して、前記設定ステップの処理により設定された前記分析単位に対応するM個の前記処理データのそれぞれの表現形式を変換する変換ステップと
を含むことを特徴とするデータ変換方法。
【請求項３９】
入力データのうちの少なくとも一部の表現形式を変換するデータ変換処理を制御するコンピュータに実行させるプログラムであって、
入力データから、N次元（Nは１以上の整数値）で表される処理データを設定し、M個（Mは１以上の整数値）の前記処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、１以上の分析対象毎に主成分分析を個別に行うことで、前記処理データの表現形式を変換するための基底を分析対象毎に個別に生成する分析ステップと、
前記分析ステップの処理により生成された１以上の分析単位毎の前記基底のうちの所定の１つを利用して、前記設定ステップの処理により設定された前記分析単位に対応するM個の前記処理データのそれぞれの表現形式を変換する変換ステップと
を含むプログラムを記録していることを特徴とする記録媒体。
【請求項４０】
入力データのうちの少なくとも一部の表現形式を変換するデータ変換処理を制御するコンピュータに実行させるプログラムであって、
入力データから、N次元（Nは１以上の整数値）で表される処理データを設定し、M個（Mは１以上の整数値）の前記処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、１以上の分析対象毎に主成分分析を個別に行うことで、前記処理データの表現形式を変換するための基底を分析対象毎に個別に生成する分析ステップと、
前記分析ステップの処理により生成された１以上の分析単位毎の前記基底のうちの所定の１つを利用して、前記設定ステップの処理により設定された前記分析単位に対応するM個の前記処理データのそれぞれの表現形式を変換する変換ステップと
を含むことを特徴とするプログラム。
【請求項４１】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、１以上の分析対象毎に主成分分析が個別に行われることで、前記処理データの表現形式を変換するための基底が分析対象毎に個別に生成され、
生成された１以上の分析単位毎の前記基底のうちの所定の１つを利用して、設定された前記分析単位に対応するM個の前記処理データのそれぞれの表現形式が変換され、その結果、表現形式が変換されたM個の前記処理データからなる第２のデータ群が生成され、
生成された前記第２のデータ群に対して、その生成に利用された前記基底が重畳されたデータが、入力データのうちの少なくとも一部として入力されるデータ逆変換装置であって、
前記入力データから、前記第２のデータ群と前記基底とを分離する分離手段と、
前記分離手段により前記入力データから分離された前記基底を利用して、前記分離手段により前記入力データから分離された前記第２のデータ群を構成するM個の前記処理データの表現形式を逆変換する逆変換手段と
を備えることを特徴とするデータ逆変換装置。
【請求項４２】
前記元データは、アナログ歪みが生じている
ことを特徴とする請求項４１に記載のデータ逆変換装置。
【請求項４３】
前記処理データとして、第１の種類の第１の処理データと、第２の種類の第２の処理データとが設定され、
設定された前記分析単位に対応する所定のM個の前記第１の処理データからなるデータ群が１以上設定され、１以上の前記データ群のそれぞれが１以上の分析対象のそれぞれとして、１以上の分析対象毎に主成分分析が個別に行われることで、前記第２の処理データの表現形式を変換するための基底が分析対象毎に個別に生成され、
１以上の分析単位毎の前記基底のうちの所定の１つを利用して、前記分析単位に対応するM個の前記第２の処理データのそれぞれの表現形式が変換され、その結果、表現形式が変換されたM個の前記第２の処理データからなる前記第２のデータ群が生成され、
生成された前記第２のデータ群に対して、その生成に利用された前記基底が重畳されたデータが、前記入力データのうちの少なくとも一部として入力され、
前記逆変換手段は、前記分離手段により前記入力データから分離された前記基底を利用して、前記分離手段により前記入力データから分離された前記第２のデータ群を構成するM個の前記第２の処理データの表現形式を逆変換する
ことを特徴とする請求項４１に記載のデータ逆変換装置。
【請求項４４】
前記元データは、１以上のアクセスユニットから構成される画像データであり、
前記画像データを構成する１以上の前記アクセスユニットのうちの所定の１つが処理対象に設定され、
処理対象の前記アクセスユニットが１以上の第１のブロックに分割され、
１以上の前記第１のブロックのそれぞれがM個の第２のブロックに分割され、
前記第２のブロックを構成するN個以上の画素データのうちの所定のN個の画素データの値を成分値として有するN次元の第１のベクトルが、前記処理データとして設定され、
前記第１のブロックが前記分析単位に設定され、
前記第１のベクトルを前記処理データとして利用し、かつ、前記第１のブロックを前記分析単位として利用して、前記基底が生成され、
前記第１のベクトルを前記処理データとして利用し、前記第１のブロックを前記分析単位として利用し、かつ、生成された前記基底を利用して、前記第２のデータ群が生成され、
生成された前記第２のデータ群に対して、その生成に利用された前記基底が重畳されたデータが、前記入力データのうちの少なくとも一部として入力される
ことを特徴とする請求項４１に記載のデータ逆変換装置。
【請求項４５】
前記第２のブロックは、N/Z個（Zは１以上の整数値）の画素のそれぞれについてのZ種類の画素データから構成され、
前記第１のベクトルは、N/Z個の画素のそれぞれについてのZ種類の画素データのそれぞれの値を、各成分値として有するベクトルである
ことを特徴とする請求項４４に記載のデータ逆変換装置。
【請求項４６】
処理対象の前記アクセスユニットを構成する１以上の前記第１のブロックのそれぞれが分析対象に１つずつ順次設定され、
分析対象の前記第１のブロックを構成するM個の前記第２のブロックのそれぞれについてのM個の前記第１のベクトルを対象とする主成分分析が行われることで、分析対象の前記第１のブロックについての前記基底が生成され、
生成された前記基底を利用して、前記第２のデータ群が生成され、
生成された前記第２のデータ群に対して、その生成に利用された前記基底が重畳されたデータが、前記入力データのうちの少なくとも一部として入力される
ことを特徴とする請求項４４に記載のデータ逆変換装置。
【請求項４７】
分析対象として設定された前記第１のブロックのそれぞれが処理対象に１つずつ順次設定され、N個の前記画素データのそれぞれを軸とする第１の座標系で表現される第１のベクトルのうちの、処理対象の第１のブロックを構成するM個の第２のブロックのそれぞれについてのM個の前記第１のベクトルのそれぞれが、前記分析手段により生成された１以上の分析対象毎の前記基底のうちの処理対象の前記第１のブロックについての基底を軸とする第２の座標系で表現されるM個の第２のベクトルのそれぞれに変換され、その結果、M個の前記第２のベクトルからなる前記第２のデータ群が生成され、
生成された前記第２のデータ群に対して、その生成に利用された前記基底が重畳されたデータが、前記入力データのうちの少なくとも一部として入力され、
前記逆変換手段は、前記分離手段により前記入力データから分離された前記基底を利用して、前記分離手段により前記入力データから分離された前記第２のデータ群を構成するM個の前記第２のベクトルのそれぞれを、M個の前記第１のベクトルのそれぞれに逆変換する
ことを特徴とする請求項４６に記載のデータ逆変換装置。
【請求項４８】
処理対象の前記第１のブロックについて、さらに、M個の前記第２のベクトルからなるデータ群が所定の単位毎に符号化され、その結果、M個の符号化情報が得られ、M個の前記符号化情報からなる前記第２のデータ群が生成され、
生成された前記第２のデータ群に対して、その生成に利用された前記基底が重畳されたデータが、前記入力データのうちの少なくとも一部として入力され、
前記逆変換手段は、
前記第２のデータ群を復号し、
復号の結果得られるM個の前記第２のベクトルのそれぞれを、前記分離手段により前記入力データから分離された前記基底を利用して、M個の前記第１のベクトルのそれぞれに逆変換する
ことを特徴とする請求項４７に記載のデータ逆変換装置。
【請求項４９】
前記分析単位に対応するM個の前記処理データは、前記入力データを構成する各データのうちの近接するM個のデータである
ことを特徴とする請求項４１に記載のデータ逆変換装置。
【請求項５０】
前記第２のデータ群に対して前記基底が重畳されたデータの代わりに、前記第２のデータ群に対して、前記基底を生成するために必要な情報である基底生成用情報が重畳されたデータが、前記入力データのうちの少なくとも一部として入力される場合には、
前記分離手段は、前記入力データから、前記第２のデータ群と前記基底生成用情報とを分離し、
前記分離手段により前記入力データから分離された前記基底生成用情報を利用して、前記基底を生成する生成手段をさらに備え、
前記逆変換手段は、前記生成手段により生成された前記基底を利用して、前記分離手段により前記入力データから分離された前記第２のデータ群を構成するM個の前記処理データの表現形式を逆変換する
ことを特徴とする請求項４１に記載のデータ逆変換装置。
【請求項５１】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、１以上の分析対象毎に主成分分析が個別に行われることで、前記処理データの表現形式を変換するための基底が分析対象毎に個別に生成され、
生成された１以上の分析単位毎の前記基底のうちの所定の１つを利用して、設定された前記分析単位に対応するM個の前記処理データのそれぞれの表現形式が変換され、その結果、表現形式が変換されたM個の前記処理データからなる第２のデータ群が生成され、
生成された前記第２のデータ群に対して、その生成に利用された前記基底が重畳されたデータが、入力データのうちの少なくとも一部として入力されるデータ逆変換装置のデータ逆変換方法であって、
前記入力データから、前記第２のデータ群と前記基底とを分離する分離ステップと、
前記分離ステップの処理により前記入力データから分離された前記基底を利用して、前記分離ステップの処理により前記入力データから分離された前記第２のデータ群を構成するM個の前記処理データの表現形式を逆変換する逆変換ステップと
を含むことを特徴とするデータ逆変換方法。
【請求項５２】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、１以上の分析対象毎に主成分分析が個別に行われることで、前記処理データの表現形式を変換するための基底が分析対象毎に個別に生成され、
生成された１以上の分析単位毎の前記基底のうちの所定の１つを利用して、設定された前記分析単位に対応するM個の前記処理データのそれぞれの表現形式が変換され、その結果、表現形式が変換されたM個の前記処理データからなる第２のデータ群が生成され、
生成された前記第２のデータ群に対して、その生成に利用された前記基底が重畳されたデータが、入力データのうちの少なくとも一部として入力される装置を制御するコンピュータに実行させるプログラムであって、
前記入力データから、前記第２のデータ群と前記基底とを分離する分離ステップと、
前記分離ステップの処理により前記入力データから分離された前記基底を利用して、前記分離ステップの処理により前記入力データから分離された前記第２のデータ群を構成するM個の前記処理データの表現形式を逆変換する逆変換ステップと
を含むプログラムを記録していることを特徴とする記録媒体。
【請求項５３】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、１以上の分析対象毎に主成分分析が個別に行われることで、前記処理データの表現形式を変換するための基底が分析対象毎に個別に生成され、
生成された１以上の分析単位毎の前記基底のうちの所定の１つを利用して、設定された前記分析単位に対応するM個の前記処理データのそれぞれの表現形式が変換され、その結果、表現形式が変換されたM個の前記処理データからなる第２のデータ群が生成され、
生成された前記第２のデータ群に対して、その生成に利用された前記基底が重畳されたデータが、入力データのうちの少なくとも一部として入力される装置を制御するコンピュータに実行させるプログラムであって、
前記入力データから、前記第２のデータ群と前記基底とを分離する分離ステップと、
前記分離ステップの処理により前記入力データから分離された前記基底を利用して、前記分離ステップの処理により前記入力データから分離された前記第２のデータ群を構成するM個の前記処理データの表現形式を逆変換する逆変換ステップと
を含むことを特徴とするプログラム。
【請求項５４】
入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析手段と、
前記分析手段により生成された１以上の分析対象毎の前記変換情報のうちの所定の１つを利用して、前記設定手段により設定された前記分析単位に対応する所定のM個の前記処理データのそれぞれの表現形式を変換し、表現形式が変換されたM個の前記処理データからなるデータ群を符号化する符号化手段と
を備えることを特徴とする符号化装置。
【請求項５５】
前記入力データに対してアナログ歪みを生じさせるアナログ歪み生成手段
をさらに備えることを特徴とする請求項５４に記載の符号化装置。
【請求項５６】
前記分析手段は、前記データ群について主成分分析を行うことで、前記変換情報を生成する
ことを特徴とする請求項５４に記載の符号化装置。
【請求項５７】
入力データのうちの少なくとも一部の表現形式を変換し、その結果得られるデータを符号化する符号化装置の符号化方法であって、
入力データから、N次元（Nは１以上の整数値）で表される処理データを設定し、M個（Mは１以上の整数値）の前記処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換し、表現形式が変換されたM個の前記処理データからなるデータ群を符号化する符号化ステップと
を含むことを特徴とする符号化方法。
【請求項５８】
入力データのうちの少なくとも一部の表現形式を変換し、その結果得られるデータを符号化する符号化処理を制御するコンピュータに実行させるプログラムであって、
入力データから、N次元（Nは１以上の整数値）で表される処理データを設定し、M個（Mは１以上の整数値）の前記処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換し、表現形式が変換されたM個の前記処理データからなるデータ群を符号化する符号化ステップと
を含むプログラムを記録していることを特徴とする記録媒体。
【請求項５９】
入力データのうちの少なくとも一部の表現形式を変換し、その結果得られるデータを符号化する符号化処理を制御するコンピュータに実行させるプログラムであって、
入力データから、N次元（Nは１以上の整数値）で表される処理データを設定し、M個（Mは１以上の整数値）の前記処理データを分析単位として設定する設定ステップと、
前記設定ステップの処理により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析ステップと、
前記分析ステップの処理により生成された１以上の分析対象毎の前記変換情報のうちの所定の１つを利用して、前記設定ステップの処理により設定された前記分析単位に対応する所定のM個の前記処理データのそれぞれの表現形式を変換し、表現形式が変換されたM個の前記処理データからなるデータ群を符号化する符号化ステップと
を含むことを特徴とするプログラム。
【請求項６０】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、表現形式が変換されたM個の前記処理データからなる第２のデータ群が符号化され、その結果、符号化データが得られ、
前記符号化データに対して、その生成に利用された前記変換情報が重畳されたデータが、入力データのうちの少なくとも一部として入力される復号装置であって、  
前記入力データから、前記符号化データと、前記変換情報とを分離する分離手段と、
前記分離手段により前記入力データから分離された前記符号化データを復号し、その結果得られる前記第２のデータ群を構成するM個の前記処理データの表現形式を、前記分離手段により前記入力データから分離された前記変換情報を利用して逆変換する復号手段と
を備えることを特徴とする復号装置。
【請求項６１】
前記元データにはアナログ歪みが生じている
ことを特徴とする請求項６０に記載の復号装置。
【請求項６２】
前記変換情報は、前記データ群について主成分分析を行うことで生成される
ことを特徴とする請求項６０に記載の復号装置。
【請求項６３】
前記符号化データに対して前記変換情報が重畳されたデータの代わりに、前記符号化データに対して、前記変換情報を生成するために必要な情報である変換情報生成用情報が重畳されたデータが、前記入力データのうちの少なくとも一部として入力される場合には、
前記分離手段は、前記入力データから、前記符号化データと、前記変換情報生成用情報とを分離し、
前記分離手段により前記入力データから分離された前記変換情報生成用情報を利用して、前記変換情報を生成する生成手段をさらに備え、
前記復号手段は、前記生成手段により生成された前記変換情報を利用して、復号の結果得られる前記第２のデータ群を構成するM個の前記処理データの表現形式を逆変換する
ことを特徴とする請求項６０に記載の復号装置。
【請求項６４】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、表現形式が変換されたM個の前記処理データからなる第２のデータ群が符号化され、その結果、符号化データが得られ、
前記符号化データに対して、その生成に利用された前記変換情報が重畳されたデータが、入力データのうちの少なくとも一部として入力される復号装置の復号方法であって、
前記入力データから、前記符号化データと、前記変換情報とを分離する分離ステップと、
前記分離ステップの処理により前記入力データから分離された前記符号化データを復号し、その結果得られる前記第２のデータ群を構成するM個の前記処理データの表現形式を、前記分離ステップの処理により前記入力データから分離された前記変換情報を利用して逆変換する復号ステップと
を含むことを特徴とする復号方法。
【請求項６５】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、表現形式が変換されたM個の前記処理データからなる第２のデータ群が符号化され、その結果、符号化データが得られ、
前記符号化データに対して、その生成に利用された前記変換情報が重畳されたデータが、入力データのうちの少なくとも一部として入力される装置を制御するコンピュータに実行させるプログラムであって、
前記入力データから、前記符号化データと、前記変換情報とを分離する分離ステップと、
前記分離ステップの処理により前記入力データから分離された前記符号化データを復号し、その結果得られる前記第２のデータ群を構成するM個の前記処理データの表現形式を、前記分離ステップの処理により前記入力データから分離された前記変換情報を利用して逆変換する復号ステップと
を含むプログラムを記録していることを特徴とする記録媒体。
【請求項６６】
元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、表現形式が変換されたM個の前記処理データからなる第２のデータ群が符号化され、その結果、符号化データが得られ、
前記符号化データに対して、その生成に利用された前記変換情報が重畳されたデータが、入力データのうちの少なくとも一部として入力される装置を制御するコンピュータに実行させるプログラムであって、
前記入力データから、前記符号化データと、前記変換情報とを分離する分離ステップと、
前記分離ステップの処理により前記入力データから分離された前記符号化データを復号し、その結果得られる前記第２のデータ群を構成するM個の前記処理データの表現形式を、前記分離ステップの処理により前記入力データから分離された前記変換情報を利用して逆変換する復号ステップと
を含むことを特徴とするプログラム。
【請求項６７】
画像データの表現形式を変換する変換部と、前記画像データの、前記変換部により変換された表現形式を逆変換する逆変換部とを構成要素として含む情報処理システムにおいて、
前記変換部は、
アナログ歪みが生じている画像データが入力データとして入力され、前記入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析手段と、
前記分析手段により生成された１以上の分析対象毎の前記変換情報のうちの所定の１つを利用して、前記設定手段により設定された前記分析単位に対応する所定のM個の前記処理データのそれぞれの表現形式を変換する変換手段と
を有する
ことを特徴とする情報処理システム。
【請求項６８】
画像データの表現形式を変換する変換部と、前記画像データの、前記変換部により変換された表現形式を逆変換する逆変換部とを構成要素として含む情報処理システムにおいて、
前記変換部は、
画像データが入力データとして入力され、前記入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析手段と、
前記分析手段により生成された１以上の分析対象毎の前記変換情報のうちの所定の１つを利用して、前記設定手段により設定された前記分析単位に対応する所定のM個の前記処理データのそれぞれの表現形式を変換する変換手段と
を備え、
前記分析単位に対応するM個の前記処理データは、前記入力データを構成する各データのうちの近接するM個のデータである
ことを特徴とする情報処理システム。
【請求項６９】
画像データの表現形式を変換する変換部と、前記画像データの、前記変換部により変換された表現形式を逆変換する逆変換部とを構成要素として含む情報処理システムにおいて、
前記変換部は、
画像データが入力データとして入力され、前記入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、１以上の分析対象毎に主成分分析を個別に行うことで、前記処理データの表現形式を変換するための基底を分析対象毎に個別に生成する分析手段と、
前記分析手段により生成された１以上の分析単位毎の前記基底のうちの所定の１つを利用して、前記設定手段により設定された前記分析単位に対応するM個の前記処理データのそれぞれの表現形式を変換する変換手段と
を有する
ことを特徴とする情報処理システム。
【請求項７０】
画像データを符号化する符号化部と、前記符号化部により符号化された前記画像データを復号する復号部とを構成要素として含む情報処理システムにおいて、
前記符号化部は、
画像データが入力データとして入力され、前記入力データから、N次元（Nは１以上の整数値）で表される処理データを設定し、M個（Mは１以上の整数値）の前記処理データを分析単位として設定する設定手段と、
前記設定手段により設定された前記分析単位に対応する所定のM個の前記処理データからなるデータ群を１以上設定し、１以上の前記データ群のそれぞれを１以上の分析対象のそれぞれとして、前記処理データの表現形式を変換するための変換情報を分析対象毎に個別に生成する分析手段と、
前記分析手段により生成された１以上の分析対象毎の前記変換情報のうちの所定の１つを利用して、前記設定手段により設定された前記分析単位に対応する所定のM個の前記処理データのそれぞれの表現形式を変換し、表現形式が変換されたM個の前記処理データからなるデータ群を符号化する符号化手段と
を有する
ことを特徴とする情報処理システム。
【請求項７１】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
アナログ歪みが生じている画像データが元データとされて、前記元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として前記逆変換部に入力され、
前記逆変換部は、
前記入力データから、前記第２のデータ群と前記変換情報とを分離する分離手段と、
前記分離手段により前記入力データから分離された前記変換情報を利用して、前記分離手段により前記入力データから分離された前記第２のデータ群を構成するM個の前記処理データの表現形式を逆変換する逆変換手段と
を有する
ことを特徴とする情報処理システム。
【請求項７２】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
画像データが元データとされて、前記元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、その結果、表現形式が変換されたM個の前記処理データからなる第２のデータ群が生成され、
生成された前記第２のデータ群に対して、その生成に利用された前記変換情報が重畳されたデータが、入力データのうちの少なくとも一部として前記逆変換部に入力され、
前記逆変換部は、
前記入力データから、前記第２のデータ群と、前記変換情報を分離する分離手段と、
前記分離手段により前記入力データから分離された前記変換情報を利用して、前記分離手段により前記入力データから分離された前記第２のデータ群を構成するM個の前記処理データの表現形式を逆変換する逆変換手段と
を備え、
前記分析単位に対応するM個の前記処理データは、前記入力データを構成する各データのうちの近接するM個のデータである
ことを特徴とする情報処理システム。
【請求項７３】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
画像データが元データとされて、前記元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、１以上の分析対象毎に主成分分析が個別に行われることで、前記処理データの表現形式を変換するための基底が分析対象毎に個別に生成され、
生成された１以上の分析単位毎の前記基底のうちの所定の１つを利用して、設定された前記分析単位に対応するM個の前記処理データのそれぞれの表現形式が変換され、その結果、表現形式が変換されたM個の前記処理データからなる第２のデータ群が生成され、
生成された前記第２のデータ群に対して、その生成に利用された前記基底が重畳されたデータが、入力データのうちの少なくとも一部として前記逆変換部に入力され、
前記逆変換部は、
前記入力データから、前記第２のデータ群と前記基底とを分離する分離手段と、
前記分離手段により前記入力データから分離された前記基底を利用して、前記分離手段により前記入力データから分離された前記第２のデータ群を構成するM個の前記処理データの表現形式を逆変換する逆変換手段と
を有する
ことを特徴とする情報処理システム。
【請求項７４】
画像データを符号化する符号化部と、前記符号化部により符号化された前記画像データを復号する復号部とを構成要素として含む情報処理システムにおいて、
前記符号化部、または、前記符号化部以外の装置により、
画像データが元データとされて、前記元データから、N次元（Nは１以上の整数値）で表される処理データが設定され、M個（Mは１以上の整数値）の前記処理データが分析単位として設定され、
設定された前記分析単位に対応する所定のM個の前記処理データからなるデータ群が１以上設定され、１以上の前記データ群のそれぞれが１以上の分析対象のそれぞれとして、前記処理データの表現形式を変換するための変換情報が分析対象毎に個別に生成され、
生成された１以上の分析対象毎の前記変換情報のうちの所定の１つを利用して、設定された前記分析単位に対応する所定のM個の前記処理データのそれぞれの表現形式が変換され、表現形式が変換されたM個の前記処理データからなる第２のデータ群が符号化され、その結果、符号化データが得られ、
前記符号化データに対して、その生成に利用された前記変換情報が重畳されたデータが、入力データのうちの少なくとも一部として前記復号部に入力され、
前記復号部は、
前記入力データから、前記符号化データと、前記変換情報とを分離する分離手段と、
前記分離手段により前記入力データから分離された前記符号化データを復号し、その結果得られる前記第２のデータ群を構成するM個の前記処理データの表現形式を、前記分離手段により前記入力データから分離された前記変換情報を利用して逆変換する復号手段と
を有する
ことを特徴とする情報処理システム。
【手続補正２】
【補正対象書類名】明細書
【補正対象項目名】発明の名称
【補正方法】変更
【補正の内容】
【発明の名称】データ変換装置および方法、データ逆変換装置および方法、符号化装置および方法、復号装置および方法、情報処理システム、記録媒体、並びにプログラム
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００４５
【補正方法】削除
【補正の内容】
【手続補正１２】
【補正対象書類名】明細書
【補正対象項目名】００５３
【補正方法】削除
【補正の内容】
【手続補正１３】
【補正対象書類名】明細書
【補正対象項目名】００５４
【補正方法】削除
【補正の内容】
【手続補正１４】
【補正対象書類名】明細書
【補正対象項目名】００６９
【補正方法】削除
【補正の内容】
【手続補正１５】
【補正対象書類名】明細書
【補正対象項目名】００７０
【補正方法】削除
【補正の内容】
【手続補正１６】
【補正対象書類名】明細書
【補正対象項目名】００７１
【補正方法】削除
【補正の内容】
【手続補正１７】
【補正対象書類名】明細書
【補正対象項目名】００７２
【補正方法】削除
【補正の内容】
【手続補正１８】
【補正対象書類名】明細書
【補正対象項目名】００７３
【補正方法】削除
【補正の内容】
【手続補正１９】
【補正対象書類名】明細書
【補正対象項目名】００７４
【補正方法】削除
【補正の内容】
【手続補正２０】
【補正対象書類名】明細書
【補正対象項目名】００７５
【補正方法】削除
【補正の内容】
【手続補正２１】
【補正対象書類名】明細書
【補正対象項目名】００７６
【補正方法】削除
【補正の内容】
【手続補正２２】
【補正対象書類名】明細書
【補正対象項目名】００７７
【補正方法】削除
【補正の内容】
【手続補正２３】
【補正対象書類名】明細書
【補正対象項目名】００９２
【補正方法】削除
【補正の内容】
【手続補正２４】
【補正対象書類名】明細書
【補正対象項目名】００９３
【補正方法】削除
【補正の内容】
【手続補正２５】
【補正対象書類名】明細書
【補正対象項目名】００９４
【補正方法】削除
【補正の内容】
【手続補正２６】
【補正対象書類名】明細書
【補正対象項目名】００９５
【補正方法】削除
【補正の内容】
【手続補正２７】
【補正対象書類名】明細書
【補正対象項目名】００９６
【補正方法】削除
【補正の内容】
【手続補正２８】
【補正対象書類名】明細書
【補正対象項目名】００９７
【補正方法】削除
【補正の内容】
【手続補正２９】
【補正対象書類名】明細書
【補正対象項目名】００９８
【補正方法】削除
【補正の内容】
【手続補正３０】
【補正対象書類名】明細書
【補正対象項目名】００９９
【補正方法】削除
【補正の内容】
【手続補正３１】
【補正対象書類名】明細書
【補正対象項目名】０１００
【補正方法】削除
【補正の内容】
【手続補正３２】
【補正対象書類名】明細書
【補正対象項目名】０１０８
【補正方法】削除
【補正の内容】
【手続補正３３】
【補正対象書類名】明細書
【補正対象項目名】０１０９
【補正方法】削除
【補正の内容】
【手続補正３４】
【補正対象書類名】明細書
【補正対象項目名】０１１８
【補正方法】削除
【補正の内容】
【手続補正３５】
【補正対象書類名】明細書
【補正対象項目名】０１１９
【補正方法】削除
【補正の内容】
【手続補正３６】
【補正対象書類名】明細書
【補正対象項目名】０１２０
【補正方法】削除
【補正の内容】
【手続補正３７】
【補正対象書類名】明細書
【補正対象項目名】０１２５
【補正方法】削除
【補正の内容】
【手続補正３８】
【補正対象書類名】明細書
【補正対象項目名】０１２６
【補正方法】削除
【補正の内容】
【手続補正３９】
【補正対象書類名】明細書
【補正対象項目名】０１２７
【補正方法】削除
【補正の内容】
【手続補正４０】
【補正対象書類名】明細書
【補正対象項目名】０１３０
【補正方法】削除
【補正の内容】
【手続補正４１】
【補正対象書類名】明細書
【補正対象項目名】０１３１
【補正方法】削除
【補正の内容】
【手続補正４２】
【補正対象書類名】明細書
【補正対象項目名】０１３２
【補正方法】削除
【補正の内容】
【手続補正４３】
【補正対象書類名】明細書
【補正対象項目名】０１３５
【補正方法】削除
【補正の内容】
【手続補正４４】
【補正対象書類名】明細書
【補正対象項目名】０１３６
【補正方法】削除
【補正の内容】
【手続補正４５】
【補正対象書類名】明細書
【補正対象項目名】０１３７
【補正方法】削除
【補正の内容】
【手続補正４６】
【補正対象書類名】明細書
【補正対象項目名】０１４０
【補正方法】削除
【補正の内容】
【手続補正４７】
【補正対象書類名】明細書
【補正対象項目名】０１４１
【補正方法】削除
【補正の内容】
【手続補正４８】
【補正対象書類名】明細書
【補正対象項目名】０１４２
【補正方法】削除
【補正の内容】
【手続補正４９】
【補正対象書類名】明細書
【補正対象項目名】０１４５
【補正方法】削除
【補正の内容】
【手続補正５０】
【補正対象書類名】明細書
【補正対象項目名】０１４６
【補正方法】削除
【補正の内容】
【手続補正５１】
【補正対象書類名】明細書
【補正対象項目名】０１４７
【補正方法】削除
【補正の内容】
【手続補正５２】
【補正対象書類名】明細書
【補正対象項目名】０１５０
【補正方法】削除
【補正の内容】
【手続補正５３】
【補正対象書類名】明細書
【補正対象項目名】０１５１
【補正方法】削除
【補正の内容】
【手続補正５４】
【補正対象書類名】明細書
【補正対象項目名】０１５２
【補正方法】削除
【補正の内容】
【手続補正５５】
【補正対象書類名】明細書
【補正対象項目名】０１５５
【補正方法】削除
【補正の内容】
【手続補正５６】
【補正対象書類名】明細書
【補正対象項目名】０１５６
【補正方法】削除
【補正の内容】
【手続補正５７】
【補正対象書類名】明細書
【補正対象項目名】０１５７
【補正方法】削除
【補正の内容】
【手続補正５８】
【補正対象書類名】明細書
【補正対象項目名】０１６０
【補正方法】削除
【補正の内容】
【手続補正５９】
【補正対象書類名】明細書
【補正対象項目名】０１６１
【補正方法】削除
【補正の内容】
【手続補正６０】
【補正対象書類名】明細書
【補正対象項目名】０１６２
【補正方法】削除
【補正の内容】